【手続補正書】
【提出日】令和1年11月22日(2019.11.22)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
複数の直交周波数分割多重(OFDM)シンボルを含むスロット内の少なくとも第1の送信時間間隔(TTI)および第2のTTIに対してアップリンクリソースを割り振るステップと、
復調基準信号(DMRS)の送信のために前記第1のTTIおよび前記第2のTTIによって共有されるべき、前記スロット内の第1のOFDMシンボルの確保されたアップリンクリソースのサブセットを確保するステップであって、共有される前記第1のOFDMシンボルが前記第1のTTIおよび前記第2のTTIの近傍または内部に位置する、ステップと、
アップリンク送信に対するアップリンク許可をユーザ機器(UE)に送信するステップであって、前記アップリンク許可が前記割り振られたアップリンクリソースの表示を含む、ステップと
を含む方法。
【請求項２】
前記第1のTTIおよび前記第2のTTIが周波数リソースの同じセットを含むことを識別するステップと、
基本DMRSシーケンスの第1の巡回シフト(CS)に基づいて、前記第1のTTIに対する第1のDMRSシーケンスを構成するステップと、
前記基本DMRSシーケンスの第2のCSに基づいて、前記第2のTTIに対する第2のDMRSシーケンスを構成するステップとをさらに含み、前記第1のDMRSシーケンスおよび前記第2のDMRSシーケンスが同じ長さを有する、請求項1に記載の方法。
【請求項３】
前記第1のTTIが周波数リソースの第1のセットを含むことおよび前記第2のTTIが周波数リソースの前記第1のセットに隣接する周波数リソースの第2のセットを含むことを識別するステップをさらに含む、請求項1に記載の方法。
【請求項４】
前記第1のTTIが周波数リソースの第1のセットを含むことおよび前記第2のTTIが周波数リソースの前記第1のセットのサブセットである周波数リソースの第2のセットを含むことを識別するステップをさらに含む、請求項1に記載の方法。
【請求項５】
前記第1のTTIに対する第1のDMRSシーケンスの送信のための周波数リソースの前記第1のセット内に第1のインターレースを構成するステップであって、前記第1のDMRSシーケンスが周波数リソースの前記第1のセットに対応する第1のシーケンス長を有する、ステップと、
前記第2のTTIに対する第2のDMRSシーケンスの送信のための周波数リソースの前記第1のセットの前記サブセット内に第2のインターレースを構成するステップとをさらに含み、前記第2のDMRSシーケンスが周波数リソースの前記第2のセットに対応する第2のシーケンス長を有する、請求項4に記載の方法。
【請求項６】
前記第1のTTIが周波数リソースの第1のセットを含むことおよび前記第2のTTIが周波数リソースの前記第1のセットに部分的に重複する周波数リソースの第2のセットを含むことを識別するステップをさらに含む、請求項1に記載の方法。
【請求項７】
前記第1のTTIに対する第1のDMRSシーケンスの送信のための周波数リソースの前記第1のセットおよび周波数リソースの前記第2のセットの中に第1のインターレースを構成するステップと、
前記第2のTTIに対する第2のDMRSシーケンスの送信のための周波数リソースの前記第1のセットおよび周波数リソースの前記第2のセットの中に第2のインターレースを構成するステップとをさらに含む、請求項4に記載の方法。
【請求項８】
前記第1のTTIが周波数リソースの第1のセットを含むことおよび前記第2のTTIが周波数リソースの前記第1のセットに隣接せずかつ重複しない周波数リソースの第2のセットを含むことを識別するステップをさらに含む、請求項1に記載の方法。
【請求項９】
前記第1のTTIが3つのOFDMシンボルを有しかつ前記第2のTTIが3つのOFDMシンボルを有することを識別するステップをさらに含み、前記第1のOFDMシンボルが前記第1のTTIと前記第2のTTIとの間で共有される、請求項1に記載の方法。
【請求項１０】
前記割り振られたアップリンクリソースが、前記第1のOFDMシンボルに隣接しない2つのOFDMシンボルを含む第3のTTIのためのリソースを含み、前記方法が前記第3のTTIのためのDMRSリソースを識別するステップをさらに含む、請求項1に記載の方法。
【請求項１１】
ワイヤレス通信のための方法であって、
複数の直交周波数分割多重(OFDM)シンボルを含むスロット内の少なくとも第1の送信時間間隔(TTI)および第2のTTIに対するアップリンクリソースの割振りを基地局から受信するステップと、
復調基準信号(DMRS)の送信のために前記第1のTTIおよび前記第2のTTIによって共有されるべき、前記スロット内の第1のOFDMシンボルの確保されたアップリンクリソースを識別するステップであって、共有される前記第1のOFDMシンボルが前記第1のTTIおよび前記第2のTTIの近傍または内部に位置する、ステップと、
前記割り振られたアップリンクリソースおよび前記確保されたアップリンクリソースを使用して、アップリンク送信およびDMRSを前記基地局に送信するステップとを含む、方法。
【請求項１２】
前記第1のTTIおよび前記第2のTTIが周波数リソースの同じセットを含むことを識別するステップと、
基本DMRSシーケンスの第1の巡回シフト(CS)に基づいて、前記第1のTTIに対する第1のDMRSシーケンスを生成するステップと、
前記基本DMRSシーケンスの第2のCSに基づいて、前記第2のTTIに対する第2のDMRSシーケンスを生成するステップであって、前記第1のDMRSシーケンスおよび前記第2のDMRSシーケンスが同じ長さを有する、ステップと、
前記第1のOFDMシンボル内で前記第1のDMRSシーケンスおよび前記第2のDMRSシーケンスを送信するステップとをさらに含む、請求項11に記載の方法。
【請求項１３】
前記第1のTTIが周波数リソースの第1のセットを含むことおよび前記第2のTTIが周波数リソースの前記第1のセットに隣接する周波数リソースの第2のセットを含むことを識別するステップをさらに含む、請求項11に記載の方法。
【請求項１４】
周波数リソースの前記第1のセットに対応する第1のシーケンス長を有する前記第1のTTIに対する第1のDMRSシーケンスを生成するステップと、
前記第1のDMRSシーケンスとは独立に、周波数リソースの前記第2のセットに対応する第2のシーケンス長を有する前記第2のTTIに対する第2のDMRSシーケンスを生成するステップと、
前記第1のOFDMシンボル内で前記第1のDMRSシーケンスおよび前記第2のDMRSシーケンスを送信するステップとをさらに含む、請求項13に記載の方法。
【請求項１５】
周波数リソースの前記第1のセットと周波数リソースの前記第2のセットの両方にまたがる第1のシーケンス長を有する前記第1のTTIに対する第1のDMRSシーケンスを生成するステップと、
周波数リソースの前記第1のセットと周波数リソースの前記第2のセットの両方にまたがる第2のシーケンス長を有する前記第2のTTIに対する第2のDMRSシーケンスを生成するステップと、
前記第1のOFDMシンボル内で前記第1のDMRSシーケンスおよび前記第2のDMRSシーケンスを送信するステップとをさらに含む、請求項13に記載の方法。
【請求項１６】
前記第1のTTIが周波数リソースの第1のセットを含むことおよび前記第2のTTIが周波数リソースの前記第1のセットのサブセットである周波数リソースの第2のセットを含むことを識別するステップをさらに含む、請求項11に記載の方法。
【請求項１７】
前記第1のTTIに対する第1のDMRSシーケンスの送信のための周波数リソースの前記第1のセット内に第1のインターレースを構成するステップと、
周波数リソースの前記第1のセットに対応する第1のシーケンス長を有する前記第1のDMRSシーケンスを生成するステップと、
前記第2のTTIに対する第2のDMRSシーケンスの送信のための周波数リソースの前記第1のセットの前記サブセット内に第2のインターレースを構成するステップと、
周波数リソースの前記第2のセットに対応する第2のシーケンス長を有する前記第2のDMRSシーケンスを生成するステップと、
前記第1のインターレース内の前記第1のDMRSシーケンスおよび前記第2のインターレース内の前記第2のDMRSシーケンスを送信するステップとをさらに含む、請求項16に記載の方法。
【請求項１８】
前記第1のTTIが周波数リソースの第1のセットを含むことおよび前記第2のTTIが周波数リソースの前記第1のセットに隣接せずかつ重複しない周波数リソースの第2のセットを含むことを識別するステップと、
周波数リソースの前記第1のセットに対応する第1のシーケンス長を有する前記第1のTTIに対する第1のDMRSシーケンスを生成するステップと、
前記第1のDMRSシーケンスとは独立に、周波数リソースの前記第1のセットに隣接せずかつ重複しない周波数リソースの前記第2のセットに対応する第2のシーケンス長を有する前記第2のTTIに対する第2のDMRSシーケンスを生成するステップと、
周波数リソースの前記第1のセット内の前記第1のDMRSシーケンスおよび周波数リソースの前記第2のセット内の前記第2のDMRSシーケンスを送信するステップとをさらに含む、請求項11に記載の方法。
【請求項１９】
前記第1のTTIが3つのOFDMシンボルを有しかつ前記第2のTTIが3つのOFDMシンボルを有することを識別するステップをさらに含み、前記第1のOFDMシンボルが前記第1のTTIと前記第2のTTIとの間で共有される、請求項11に記載の方法。
【請求項２０】
前記第1のTTIまたは前記第2のTTIのうちの1つまたは複数が、前記第1のOFDMシンボルに加えて、2データOFDMシンボル、または1データOFDMシンボルおよび1パイロットOFDMシンボルを含む、請求項19に記載の方法。
【請求項２１】
アップリンクリソースの前記割振りが、前記第1のOFDMシンボルに隣接しない2つのOFDMシンボルを含む第3のTTIのためのアップリンクリソースをさらに含む、請求項11に記載の方法。
【請求項２２】
前記第3のTTIのためのDMRSリソースを示すシグナリングを受信するステップをさらに含む、請求項21に記載の方法。
【請求項２３】
システムにおけるワイヤレス通信のための装置であって、
プロセッサと、前記プロセッサと電子通信可能なメモリと、前記メモリに記録される命令とを備え、前記命令は、前記プロセッサにより実行されたときに、前記装置に、
複数の直交周波数分割多重(OFDM)シンボルを含むスロット内の少なくとも第1の送信時間間隔(TTI)および第2のTTIに対してアップリンクリソースを割り振ることと、
復調基準信号(DMRS)の送信のために前記第1のTTIおよび前記第2のTTIによって共有されるべき、前記スロット内の第1のOFDMシンボルの確保されたアップリンクリソースのサブセットを確保することであって、共有される前記第1のOFDMシンボルが前記第1のTTIおよび前記第2のTTIの近傍または内部に位置する、ことと、
アップリンク送信に対するアップリンク許可をユーザ機器(UE)に送信することであって、前記アップリンク許可が前記割り振られたアップリンクリソースの表示を含む、ことと
を実行させるように動作可能である、装置。
【請求項２４】
前記命令が、前記装置に、
前記第1のTTIが周波数リソースの第1のセットを含むことおよび前記第2のTTIが周波数リソースの前記第1のセットのサブセットである周波数リソースの第2のセットを含むことを識別すること
を行わせるように動作可能である、請求項23に記載の装置。
【請求項２５】
前記命令が、前記装置に、
前記第1のTTIに対する第1のDMRSシーケンスの送信のための周波数リソースの前記第1のセット内に第1のインターレースを構成することであって、前記第1のDMRSシーケンスが周波数リソースの前記第1のセットに対応する第1のシーケンス長を有する、ことと、
前記第2のTTIに対する第2のDMRSシーケンスの送信のための周波数リソースの前記第1のセットの前記サブセット内に第2のインターレースを構成することとであって、前記第2のDMRSシーケンスが周波数リソースの前記第2のセットに対応する第2のシーケンス長を有する、ことと
を行わせるように動作可能である、請求項24に記載の装置。
【請求項２６】
前記命令が、前記装置に、
前記第1のTTIに対する第1のDMRSシーケンスの送信のための周波数リソースの前記第1のセットおよび周波数リソースの前記第2のセットの中に第1のインターレースを構成することと、
前記第2のTTIに対する第2のDMRSシーケンスの送信のための周波数リソースの前記第1のセットおよび周波数リソースの前記第2のセットの中に第2のインターレースを構成することと
を行わせるように動作可能である、請求項24に記載の装置。
【請求項２７】
システムにおけるワイヤレス通信のための装置であって、
プロセッサと、前記プロセッサと電子通信可能なメモリと、前記メモリに記録される命令とを備え、前記命令は、前記プロセッサにより実行されたときに、前記装置に、
複数の直交周波数分割多重(OFDM)シンボルを含むスロット内の少なくとも第1の送信時間間隔(TTI)および第2のTTIに対するアップリンクリソースの割振りを基地局から受信することと、
復調基準信号(DMRS)の送信のために前記第1のTTIおよび前記第2のTTIによって共有されるべき、前記スロット内の第1のOFDMシンボルの確保されたアップリンクリソースを識別することであって、共有される前記第1のOFDMシンボルが前記第1のTTIおよび前記第2のTTIの近傍または内部に位置する、ことと、
前記割り振られたアップリンクリソースおよび前記確保されたアップリンクリソースを使用して、アップリンク送信およびDMRSを前記基地局に送信することと
を行わせるように動作可能である、装置。
【請求項２８】
前記命令が、前記装置に、
前記第1のTTIおよび前記第2のTTIが周波数リソースの同じセットを含むことを識別することと、
基本DMRSシーケンスの第1の巡回シフト(CS)に基づいて、前記第1のTTIに対する第1のDMRSシーケンスを生成することと、
前記基本DMRSシーケンスの第2のCSに基づいて、前記第2のTTIに対する第2のDMRSシーケンスを生成することであって、前記第1のDMRSシーケンスおよび前記第2のDMRSシーケンスが同じ長さを有する、ことと、
前記第1のOFDMシンボル内で前記第1のDMRSシーケンスおよび前記第2のDMRSシーケンスを送信することと
を行わせるように動作可能である、請求項27に記載の装置。
【請求項２９】
前記命令が、前記装置に、
前記第1のTTIが周波数リソースの第1のセットを含むことおよび前記第2のTTIが周波数リソースの前記第1のセットのサブセットである周波数リソースの第2のセットを含むことを識別すること
を行わせるように動作可能である、請求項27に記載の装置。
【請求項３０】
前記命令が、前記装置に、
前記第1のTTIに対する第1のDMRSシーケンスの送信のための周波数リソースの前記第1のセット内に第1のインターレースを構成することと、
周波数リソースの前記第1のセットに対応する第1のシーケンス長を有する前記第1のDMRSシーケンスを生成することと、
前記第2のTTIに対する第2のDMRSシーケンスの送信のための周波数リソースの前記第1のセットの前記サブセット内に第2のインターレースを構成することと、
周波数リソースの前記第2のセットに対応する第2のシーケンス長を有する前記第2のDMRSシーケンスを生成することと、
前記第1のインターレース内の前記第1のDMRSシーケンスおよび前記第2のインターレース内の前記第2のDMRSシーケンスを送信するためのことと
を行わせるように動作可能である、請求項29に記載の装置。